(57)【要約】  アイウェアは、金属製のヨロイ部を有するフロントと、ヨロイ部とともに、ヒンジ部を構成する非金属製のヒンジ部材と、を備える。これにより掛け心地が良い金属製のフロントを有するアイウェアが提供される。
2019156129.tif 000002
【特許請求の範囲】
【請求項１】
金属製のヨロイ部を有するフロントと、
前記ヨロイ部とともに、ヒンジ部を構成する非金属製のヒンジ部材と、
を備える、
アイウェア。
【請求項２】
前記フロントに保持され、電気素子を有し、前記電気素子の電極の一部が縁部に配置されているレンズと、
前記電気素子を制御する制御部と、
前記電極と前記制御部とを電気的に接続する導電部と、
前記フロントを前記導電部から絶縁する第一絶縁体と、をさらに備える、請求項１に記載のアイウェア。
【請求項３】
前記導電部は、前記制御部に接続され、前記縁部に沿うように配置された導線を有し、
前記導線の一部は、前記ヨロイ部と前記ヒンジ部材との間に設けられた隙間に配置されている、請求項２に記載のアイウェア。
【請求項４】
前記制御部は、テンプルに保持されている、請求項２又は３に記載のアイウェア。
【請求項５】
前記フロントのブリッジに保持されたカバー部材を、さらに備え、
前記導線の一部は、前記ブリッジと前記カバー部材との間の隙間に配置されている、請求項２に記載のアイウェア。
【請求項６】
前記ヨロイ部は、幅方向に延在するヨロイ側第一要素と、前記ヨロイ側第一要素の一端部から後方に延在するヨロイ側第二要素と、を有し、
前記ヒンジ部材は、前記ヨロイ側第一要素に係合するヒンジ側第一要素と、前記ヨロイ側第二要素に係合するヒンジ側第二要素と、を有する、請求項１〜５の何れか一項に記載のアイウェア。
【請求項７】
前記ヒンジ側第一要素は、前記導線が配置される第一収容部を有し、
前記ヒンジ側第二要素は、前記導線が配置される第二収容部を有する、請求項６に記載のアイウェア。
【請求項８】
前記ヒンジ側第一要素と前記ヒンジ側第二要素との接続部に凹部を有する、請求項６又は７に記載のアイウェア。
【請求項９】
前記ヒンジ側第一要素と前記ヒンジ側第二要素との接続部は、弾性変形可能に構成されている、請求項６〜８の何れか一項に記載のアイウェア。
【請求項１０】
前記導電部は、前記縁部に沿って配置されかつ前記制御部に接続され、前記縁部に対向する導体面を有する導線と、前記電極及び前記導体面に接触する導電片と、を有する、請求項２に記載のアイウェア。
【請求項１１】
前記レンズは、前記レンズの光軸に沿って一方側から他方側に向けて凸となる曲面を有し、
前記フロントは、前記導電片の前記他方側を覆う第一覆い部を有する、請求項１０に記載のアイウェア。
【請求項１２】
前記第一絶縁体は、前記第一覆い部と前記導電片との間に配置された第一要素を有する、請求項１１に記載のアイウェア。
【請求項１３】
前記フロントは、前記導電片の前記一方側を覆う第二覆い部を有する、請求項１２に記載のアイウェア。
【請求項１４】
前記第一絶縁体は、前記第二覆い部と前記導電片との間に配置された第二要素を有する、請求項１３に記載のアイウェア。
【請求項１５】
前記第一絶縁体は、前記第一要素と前記第二要素とを接続する連続要素を有し、
前記導電部は、前記第一要素、前記第二要素、及び前記連続要素により少なくとも部分的に囲まれる位置に配置されている、請求項１４に記載のアイウェア。
【請求項１６】
前記第一要素及び前記第二要素はそれぞれ、前記第一覆い部及び前記第二覆い部に固定された膜状である、請求項１４または１５に記載のアイウェア。
【請求項１７】
前記第一覆い部と前記導電片との間、及び、前記第二覆い部と前記導電片との間に、第二絶縁体が配置されている、請求項１４〜１６の何れか一項に記載のアイウェア。
【請求項１８】
前記第一要素及び前記第二要素の前記光軸に近い側の端縁は、前記導電片よりも前記光軸に近い、請求項１４〜１７の何れか一項に記載のアイウェア。
【請求項１９】
前記端縁は、前記第一覆い部及び前記第二覆い部の前記光軸に近い側の端縁よりも前記光軸から遠い、請求項１８に記載のアイウェア。
【請求項２０】
前記縁部は、前記第一覆い部と前記第二覆い部との間に挿入された凸部を有し、
前記電極は、前記凸部の先端に露出し、
前記導電片は、前記凸部と前記導体面とにより押圧されている、請求項１３〜１９の何れか一項に記載のアイウェア。
【請求項２１】
一端が前記フロントに前記ヒンジ部を介して連結された非金属製のテンプル、をさらに備え、
前記制御部は、前記テンプルに保持されている、請求項２及び請求項１０〜２０の何れか一項に記載のアイウェア。
【請求項２２】
前記導線の前記導体面以外の部分を覆う絶縁カバー、をさらに備える、請求項１０〜２１の何れか一項に記載のアイウェア。
【請求項２３】
前記第一絶縁体は、前記絶縁カバーと一体化されている、請求項２２に記載のアイウェア。
【請求項２４】
前記フロントは、前記レンズ及び前記導電部を保持する非金属製の第一フロント要素、及び、前記第一フロント要素の前面に設けられた金属製の第二フロント要素を有し、
前記第一絶縁体は、前記第一フロント要素である、請求項１０〜２２の何れか一項に記載のアイウェア。
【発明の詳細な説明】
【技術分野】
【０００１】
本発明は、アイウェアに関する。
【背景技術】
【０００２】
従来、駆動電圧の印加によって駆動する電気素子、例えば、屈折率が変化する液晶レンズを有するレンズを備えるアイウェアが開発されている（特許文献１参照）。【０００３】
レンズの縁部には、電気素子の電極の端部が露出している。電極は、導電部を介して、電気素子を制御するための制御部に電気的に接続されている。このようなレンズ及び導電部は、非金属製のフロントに保持されている。
【先行技術文献】
【特許文献】
【０００４】
【特許文献１】特表２０１５−５２２８４２号公報
【発明の概要】
【発明が解決しようとする課題】
【０００５】
上述のようなアイウェアにおいて、非金属製のフロントを有するアイウェアだけでなく、掛け心地がよい金属製のフロントを有するアイウェアが望まれている。【０００６】
本発明は、このような状況に鑑みなされたものであり、掛け心地がよい金属製のフロントを有するアイウェアを提供することを課題とする。
【課題を解決するための手段】
【０００７】
本発明に係るアイウェアは、金属製のヨロイ部を有するフロントと、ヨロイ部とともに、ヒンジ部を構成する非金属製のヒンジ部材と、を備える。
【発明の効果】
【０００８】
本発明によれば、掛け心地が良い金属製のフロントを有するアイウェアを提供できる。
【図面の簡単な説明】
【０００９】
【図１】図１は、本発明の実施形態１に係る電子メガネの分解斜視図である。
【図２】図２は、レンズの平面図である。
【図３】図３は、フレキシブル基板の斜視図である。
【図４Ａ】図４Ａは、レンズの正面図である。
【図４Ｂ】図４Ｂは、組立状態の電子メガネにおける図１のＡ−Ａ線断面図である。
【図５Ａ】図５Ａは、電子メガネの正面図である。
【図５Ｂ】図５Ｂは、図５ＡのＢ−Ｂ線断面図である。
【図５Ｃ】図５Ｃは、電子メガネの平面図である。
【図５Ｄ】図５Ｄは、電子メガネの底面図である。
【図５Ｅ】図５Ｅは、フロントの側面図である。
【図５Ｆ】図５Ｆは、フロントのヨロイ部の一部を幅方向における内側から見た模式図である。
【図５Ｇ】図５Ｇは、電子メガネの背面図である。
【図５Ｈ】図５Ｈは、ヨロイ部における図５ＧのＣ−Ｃ線断面図である。
【図５Ｉ】図５Ｉは、図５ＣのＡ１矢視図である。
【図６Ａ】図６Ａは、カバー部材の斜視図である。
【図６Ｂ】図６Ｂは、図６Ａと異なる角度から見たカバー部材の斜視図である。
【図６Ｃ】図６Ｃは、カバー部材の平面図である。
【図７Ａ】図７Ａは、ヒンジ部材の斜視図である。
【図７Ｂ】図７Ｂは、ヒンジ部材の正面図である。
【図７Ｃ】図７Ｃは、ヒンジ部材の背面図である。
【図７Ｄ】図７Ｄは、ヒンジ部材の平面図である。
【図８】図８は、本発明の実施形態２に係る電子メガネにおける図１のＡ−Ａ線断面図である。
【図９】図９は、本発明の実施形態３に係る電子メガネにおける図１のＡ−Ａ線断面図である。
【図１０】図１０は、本発明の実施形態４に係る電子メガネにおける図１のＡ−Ａ線断面図である。
【図１１】図１１は、本発明の実施形態５に係る電子メガネにおける図１のＡ−Ａ線断面図である。
【図１２】図１２は、本発明の実施形態６に係る電子メガネにおける図１のＡ−Ａ線断面図である。
【図１３】図１３は、図１２と異なる位置におけるリムの断面図である。
【発明を実施するための形態】
【００１０】
以下、本発明のいくつかの実施形態について、図面を用いて詳細に説明する。以下の説明では、本発明に係るアイウェアの代表例として、電気的制御によって、その光学特性を変化させることができる液晶レンズ（電気活性領域）を有する視力矯正用の透明なレンズを備える電子メガネについて説明する。
【００１１】
［実施形態１］
図１〜図７Ｄを参照して、本発明の実施形態１に係る電子メガネ１００について説明する。図１は、本実施形態に係る電子メガネ１００の構成の一例を示す斜視図である。
【００１２】
＜電子メガネ＞
電子メガネ１００は、一対のレンズ１１０及びフレーム１２０を備える。フレーム１２０は、フロント１３０、及び、一対のテンプル１４０を有する。また、フロント１３０と一対のレンズ１１０との間には、絶縁部材４００Ａ、フレキシブル基板２００、及び、導電片３００が配置されている。
【００１３】
以下の電子メガネ１００、及び、電子メガネ１００の構成部材の説明において、特に断ることなく、幅方向、前後方向、及び、上下方向といった場合には、使用者がメガネとして装着できる展開状態（図１及び図５Ａに示す状態）における電子メガネ１００の各方向をいう。具体的には、電子メガネの幅方向は、図５Ａに示す直交座標系のＸ方向である。また、電子メガネの前後方向は、図５Ａに示す直交座標系のＹ方向である。また、電子メガネの上下方向（天地方向）は、図５Ａに示す直交座標系のＺ方向である。図５Ａは、電子メガネ１００を、電子メガネ１００よりも前方から見た図であって、電子メガネ１００及び電子メガネ１００の構成部材の正面図に該当する。
【００１４】
＜レンズ＞
一対のレンズ１１０は、電子メガネ１００を正面視したときに、ほぼ左右対称となるように形成されており、互いに同一の構成要素を有する。また、その周辺の構造も同一である。
【００１５】
そこで、詳細については後述するが、以下の説明では、電子メガネ１００の右目用のレンズ１１０及びその周辺の構造について説明し、左目用のレンズ１１０及びその周辺の構造については説明を省略する。
【００１６】
レンズ１１０は、液晶レンズ１１１及び一対の電極１１２ａ、１１２ｂを有する。なお、電極１１２ａ、１１２ｂとしてはＩＴＯなどの透明電極が用いられる。
【００１７】
図２は右目用のレンズ１１０の平面図である。レンズ１１０は、その厚み方向に複数の層が重なる多層構造を有する。レンズ１１０は、液晶レンズ１１１を有する部位において、液晶層（不図示）を前後から挟む一対の導電層（不図示）を有する。
【００１８】
一対の導電層はそれぞれ電極１１２ａ、１１２ｂに接続されている。電極１１２ａ、１１２ｂを介して一対の導電層間に電圧が印加され、液晶層が活性化すると、液晶レンズ１１１の光学特性（例えば、屈折率）が変化する。液晶レンズ１１１は、光学特性変化部の一例に該当する。なお、電圧の印加によって変化する光学特性変化部の光学特性は、屈折率に限らない。一例として、レンズがエレクトロクロミックレンズの場合には、電圧の印加により変化する光学特性変化部の光学特性は、光の透過率であってよい。
【００１９】
レンズ１１０は、外周を取り囲む突条状の縁部１１３を有する。縁部１１３は、一部に、一対の電極１１２ａ、１１２ｂの端部が露出する電極露出部１１３ａ（図４Ｂ参照）を有する。電極露出部１１３ａは、先端面１１３ｂ、前側面１１３ｃ、及び、後側面１１３ｄを有する。
【００２０】
本実施形態の場合、縁部１１３は、レンズ１１０の外周を全周にわたり取り囲む環状である。ただし、フロント１３０がレンズ１１０の外周の一部のみを保持する構造の場合には、縁部１１３は、レンズ１１０の外周において、フロント１３０に保持される部分にのみ設けられてもよい。
【００２１】
先端面１１３ｂは、平坦面であると好ましい。先端面１１３ｂは、例えば、レンズ１１０の外周に沿うような曲面であってもよい。一対の電極１１２ａ、１１２ｂの端部はそれぞれ、先端面１１３ｂに露出している。各電極１１２ａ、１１２ｂは、液晶層を挟むように配置されている。各電極１１２ａ、１１２ｂは、レンズ１１０の厚み方向において、液晶層の厚みの分ずれて配置されている。
【００２２】
本実施形態の場合、前側面１１３ｃ及び後側面１１３ｄは、先端面１１３ｂに直交する。前側面１１３ｃと後側面１１３ｄとは、前後方向に対向しかつ平行である。前側面１１３ｃと後側面１１３ｄとの距離（つまり、電極露出部１１３ａの厚さ寸法Ｗ１１３）は、電極露出部１１３ａの高さ方向において、一定である。
【００２３】
また、電極露出部１１３ａの厚さ寸法Ｗ１１３は、レンズ１１０の外周に沿う方向において、一定である。なお、前側面１１３ｃ及び後側面１１３ｄの形状は、図示の場合に限定されない。例えば、前側面１１３ｃ及び後側面１１３ｄは、厚さ寸法Ｗ１１３が、先端面１１３ｂから離れるほど大きくなるように傾斜していてもよい。
【００２４】
電極露出部１１３ａの高さ寸法Ｈ１１３は、後述するリム１３１Ａ、１３１Ｂの係止溝１３１ｃの深さ寸法Ｄ１３１よりも小さい。
【００２５】
また、電極露出部１１３ａの厚さ寸法Ｗ１１３は、後述する絶縁部材４００Ａの第一側板部４０２と第二側板部４０３との間隔Ｗ４００よりも小さい。縁部１１３のうち、電極露出部１１３ａ以外の部分の厚さ寸法は、第一側板部４０２と第二側板部４０３との間隔Ｗ４００より大きくてもよい。
【００２６】
なお、縁部１１３の厚さ寸法は、全周にわたり、後述するリム１３１Ａ、１３１Ｂの係止溝１３１ｃの幅Ｗ１３１よりも小さい。電極露出部１１３ａの形状は、図示の場合に限定されない。電極露出部１１３ａは、レンズ１１０の外周面において電極１１２ａ、１１２ｂが露出する部分に形成された様々な形状の凸部であってもよい。また、電極露出部１１３ａは、例えば、レンズ１１０の外周面に形成された様々な形状の凹部であってもよい。
【００２７】
縁部１１３のうち、電極露出部１１３ａ以外の部分の形状は、電極露出部１１３ａと同じでもよいし、異なってもよい。縁部１１３のうち、電極露出部１１３ａ以外の部分の形状は、リム１３１Ａ、１３１Ｂの係止溝１３１ｃの形状に応じて、適宜決定されてよい。上述のような縁部１１３は、組立状態において、後述する係止溝１３１ｃに配置されている。
【００２８】
なお、各電極１１２ａ、１１２ｂの配置及びこれらの間隔は、レンズ１１０が切り出されるレンズブランクや、レンズブランク上の切り出し位置、フレキシブル基板の寸法に応じて変化してよい。一対の電極１１２ａ、１１２ｂの間隔は、例えば、縁部１１３に沿った方向において、１０〜２１ｍｍである。
【００２９】
＜フレーム＞
図１、図４Ｂ、及び、図５Ａ〜図５Ｈを参照して、フレーム１２０及びその周辺について説明する。図４Ｂは、図１のＡ−Ａ線断面図である。
【００３０】
フレーム１２０は、フロント１３０、及び、一対のテンプル１４０を有する。
【００３１】
＜フロント＞
フロント１３０は、一対のリム１３１Ａ、１３１Ｂ、ブリッジ１３２、カバー部材７、一対の鼻パッド１３３、一対のヨロイ部６、及び、ヒンジ部材８を有する。
【００３２】
＜リム＞
一対のリム１３１Ａ、１３１Ｂは、一対のレンズ１１０をそれぞれ保持する。一対のリム１３１Ａ、１３１Ｂは、互いに左右対称な構造を有する。一対のリム１３１Ａ、１３１Ｂは、金属製である。一対のリム１３１Ａ、１３１Ｂを構成する金属材料として、チタン、アルミ、ステンレス、及び、金、若しくは、それらの合金などが挙げられる。以下、右側用のリム１３１Ａについて説明し、左側用のリム１３１Ｂについての説明は省略する。
【００３３】
リム１３１Ａは、レンズ１１０の外形に沿う環状である。リム１３１Ａは、内周面の前端部に、全周にわたり連続した第一覆い部１３１ａを有する。第一覆い部１３１ａは、リム１３１Ａの内周面からレンズ１１０に向かって延在している。このような第一覆い部１３１ａは、組立状態において、後述する絶縁部材４００Ａ、フレキシブル基板２００、及び、導電片３００を前方から覆っている。
【００３４】
リム１３１Ａは、リムロック１３１ｎ（図５Ｉ参照）を有する。リムロック１３１ｎは、リム１３１Ａの不連続部（不図示）を連結している。作業者は、リムロック１３１ｎを解除してリム１３１Ａの不連続部の幅を拡げることにより、リム１３１Ａにレンズ１１０を組み込む。なお、リムロックの位置は図示の場合に限定されない。例えば、リムロック１３１ｎ（リム１３１Ａの不連続部）は、後述のヨロイ部６に設けられてもよい。また、リムロック１３１ｎ（リム１３１Ａの不連続部）は、ヨロイ部６及びヒンジ部材８とともに、ヒンジ部を構成してもよい。
【００３５】
リム１３１Ａは、内周面の後端部に、全周にわたり連続した第二覆い部１３１ｂを有する。第二覆い部１３１ｂは、リム１３１Ａの内周面からレンズ１１０に向かって延在している。このような第二覆い部１３１ｂは、組立状態において、後述する絶縁部材４００Ａ、フレキシブル基板２００、及び、導電片３００を後方から覆っている。
【００３６】
リム１３１Ａは、内周面における第一覆い部１３１ａと第二覆い部１３１ｂとの間に、全周にわたり連続した係止溝１３１ｃを有する。具体的には、係止溝１３１ｃは、底面１３１ｄ、第一側面１３１ｅ、及び、第二側面１３１ｆを有する。
【００３７】
第一側面１３１ｅは、第一覆い部１３１ａの後側面でもある。また、第二側面１３１ｆは、第二覆い部１３１ｂの前側面でもある。
【００３８】
本実施形態の場合、係止溝１３１ｃの断面形状は、レンズ１１０に近い側の端部が開口する矩形状である。係止溝１３１ｃの断面形状とは、リム１３１Ａを、レンズ１１０の光軸Ｘ１（図４Ａ参照）を含む平面で切断した場合の断面形状に該当する。
【００３９】
なお、係止溝１３１ｃの断面形状は、全周にわたり同一であってもよいし、異なってもよい。例えば、係止溝１３１ｃは、少なくとも係止溝１３１ｃのうち絶縁部材４００Ａが配置されている部分（以下、「配置部」という。）の断面形状が図４Ｂに示すような矩形状であればよい。係止溝１３１ｃにおける配置部以外の部分の断面形状は、例えば、溝底に向かうほど溝幅が狭くなる三角形状であってもよい。
【００４０】
係止溝１３１ｃには、底面１３１ｄに近い側から順に、後述する絶縁部材４００Ａ、フレキシブル基板２００、導電片３００、及び、レンズ１１０の縁部１１３が配置されている。
【００４１】
また、リム１３１Ａは、幅方向における第一端部の後側面に、幅方向に延在する溝部１３１ｋ（図５Ｇ及び図５Ｈ参照）を有する。なお、リム１３１Ａ、１３１Ｂの幅方向における第一端部はそれぞれ、リム１３１Ａ、１３１Ｂにおいて、ブリッジ１３２と反対側の端部に該当する。リム１３１Ａ、１３１Ｂにおいて、ブリッジ１３２が接続されている端部はそれぞれ、第二端部に該当する。
【００４２】
溝部１３１ｋの第一端部は、後述のヨロイ部６の第一溝部６３（図５Ｇ参照）の第二端部に接続されている。溝部１３１ｋの第二端部は、リム１３１Ａの内周面に開口している。このような溝部１３１ｋには、後述のヒンジ部材８の一部（具体的には、ヒンジ部材８の係止部８１ｂ）が係止されている。
【００４３】
溝部１３１ｋは、ヒンジ部材８の一部（具体的には、ヒンジ部材８の爪部８１ｅ及び爪部８１ｆ）と前後方向において係合する、係止部１３１ｍ（図５Ｈ参照）を有する。係止部１３１ｍは、ヒンジ部材８が前後方向に抜け出すことを防止している。
【００４４】
＜ブリッジ＞
ブリッジ１３２は、一対のリム１３１Ａ、１３１Ｂ同士を接続している。
【００４５】
ブリッジ１３２は、後側面に、幅方向に延在する溝部１３２ａ（図５Ｂ及び図５Ｇ参照）を有する。
【００４６】
溝部１３２ａは、幅方向における両端、及び、後方に開口している。具体的には、溝部１３２ａは、底面部１３２ｂ、上面部１３２ｃ、及び、下面部１３２ｄを有する。
【００４７】
上面部１３２ｃと下面部１３２ｄとは、上下方向に対向している。溝部１３２ａは、上面部１３２ｃの後端部に、上側係止部１３２ｅを有する。上側係止部１３２ｅは、上面部１３２ｃの後端部から下方に突出している。
【００４８】
溝部１３２ａは、下面部１３２ｄの後端部に、下側係止部１３２ｆを有する。下側係止部１３２ｆは、下面部１３２ｄの後端部から上方に突出している。上側係止部１３２ｅの先端面（下端面）と、下側係止部１３２ｆの先端面（上端面）とは、上下方向に対向している。
【００４９】
溝部１３２ａは、上側係止部１３２ｅの先端面（下端面）と下側係止部１３２ｆの先端面（上端面）との間部分に、後方に開口する後側開口部１３２ｇを有する。このような溝部１３２ａには、後述のカバー部材７が係止されている。
【００５０】
以上のようなブリッジ１３２は、金属製である。ブリッジ１３２を構成する金属材料として、チタン、アルミ、ステンレス、及び金、若しくは、それらの合金などが挙げられる。
【００５１】
なお、ブリッジ１３２は、非金属製であってもよい。ブリッジ１３２を構成する非金属材料として、ポリアミド、アセテート、セルロイド、ポリエーテルイミド及びポリウレタンなどの樹脂、ならびにカーボンなどが挙げられる。ブリッジ１３２の材料は、一対のリム１３１Ａ、１３１Ｂの材料と同じであってもよいし、異なってもよい。
【００５２】
＜カバー部材＞
以下、図５Ｇ、及び、図６Ａ〜図６Ｃを参照してカバー部材７について説明する。カバー部材７は、例えば、合成樹脂などの非金属製である。カバー部材７は、カバー要素７ａ、及び、係止部７ｂを有する。
【００５３】
カバー要素７ａは、幅方向に延在する板状部材である。カバー要素７ａの幅方向における両端縁は、リム１３１Ａ、１３１Ｂの内周面に沿う形状を有する。
【００５４】
係止部７ｂは、カバー要素７ａの前側面に設けられている。係止部７ｂは、第一板部７ｃ及び第二板部７ｄを有する。第一板部７ｃは、幅方向に延在する板状である。第二板部７ｄは、第一板部７ｃよりも下方に、第一板部７ｃと平行かつ上下方向に離れて設けられている。
【００５５】
上下方向において、第一板部７ｃと第二板部７ｄとの間には、幅方向に延在する隙間７ｅが設けられている。図５Ｇに示す組付状態において、隙間７ｅは、ブリッジ１３２における溝部１３２ａの底面部１３２ｂと対向している。隙間７ｅには、フレキシブル基板２００の一部が配置されている。
【００５６】
係止部７ｂ（図６Ｂ参照）の上下方向における寸法Ｈ２は、ブリッジ１３２の後側開口部１３２ｇの上下方向における寸法Ｈ１（図５Ｂ参照）よりも大きい。なお、寸法Ｈ２は、第一板部７ｃの上端面と第二板部７ｄの下端面との上下方向における距離は、係止部７ｂの厚さ方向における寸法である。
【００５７】
カバー部材７は、係止部７ｂとブリッジ１３２の溝部１３２ａとの係合により、ブリッジ１３２に固定されている。
【００５８】
カバー部材７を溝部１３２ａに係止する際、作業者は、幅方向における両端の開口から、カバー部材７の係止部７ｂを溝部１３２ａにスライドして係止する。なお、係止部７ｂとブリッジ１３２の溝部１３２ａとの係合により、カバー部材７の前後方向における抜け止めが図られている。
【００５９】
カバー部材７の両端部の形状は、カバー部材７がブリッジ１３２の溝部１３２ａに組み込まれ、かつ、一対のリム１３１Ａ、１３１Ｂのそれぞれにレンズ１１０が組み込まれた状態において、カバー部材７の両端部が対向するレンズ１１０の外周面に沿うような形状（つまり、リム１３１Ａ、１３１Ｂの内周面に沿うような形状）である。また、カバー部材７により、カバー部材７が当接するレンズ１１０を固定してもよい。さらに、カバー部材７の剛性、形状（大きさ）を適宜決定することで、カバー部材７によってレンズ１１０を固定する強さや電極との接続性を調整することができる。
【００６０】
＜鼻パッド＞
一対の鼻パッド１３３は、フロント１３０のうち、使用者の鼻に接触しうる位置に配置されている。一対の鼻パッド１３３は、非金属製である。一対の鼻パッド１３３を構成する非金属材料として、シリコン、ポリアミド、アセテート、セルロイド、ポリエーテルイミド及びポリウレタンなどの樹脂、ならびにカーボンなどが挙げられる。
【００６１】
なお、一対の鼻パッド１３３は、金属製でもよい。一対の鼻パッド１３３を構成する金属材料として、チタン、アルミ、ステンレス、及び金、若しくは、それらの合金などが挙げられる。一対の鼻パッド１３３の材料は、一対のリム１３１Ａ、１３１Ｂの材料と同じであってもよいし、異なってもよい。
【００６２】
＜ヨロイ部＞
つぎに、図５Ａ〜図５Ｈを参照して、一対のヨロイ部６について説明する。なお、以下、一対のヨロイ部６のうちの右側用のテンプル１４０が連結される右側のヨロイ部６について説明する。左側用のテンプル１４０が連結される左側のヨロイ部６は、右側のヨロイ部６と左右対称の構造を有するため、左側のヨロイ部６についての説明は省略する。
【００６３】
ヨロイ部６は、右側用のリム１３１Ａの幅方向における第一端部に、リム１３１Ａと一体に設けられている。
【００６４】
ヨロイ部６は、略Ｌ字状である。具体的には、ヨロイ部６は、幅方向に延在する第一要素６１、及び、略前後方向に延在する第二要素６２を有する。第一要素６１は、ヨロイ側が第一要素の一例に該当する。また、第二要素６２は、ヨロイ側第二要素の一例に該当する。
【００６５】
第一要素６１の第一端部は、リム１３１Ａの幅方向における第一端部に接続されている。第一要素６１の第二端部は、第二要素６２の前端部に接続されている。
【００６６】
第一要素６１は、後側面に、幅方向に延在する第一溝部６３が設けられている。第一溝部６３の第二端部は、第一要素６１と第二要素６２との接続部の近傍に配置されている。第一溝部６３の第一端部は、リム１３１Ａの溝部１３１ｋの第一端部に接続されている。第一溝部６３には、後述のヒンジ部材８の一部（具体的には、ヒンジ部材８の係止部８１ｂ）が係止されている。
【００６７】
第二要素６２は、第一要素６１の第二端部から、後方に延在している。具体的には、一対のヨロイ部６の第二要素６２同士は、後方に向かうほど、幅方向における距離が大きくなるように傾斜している。また、第二要素６２は、図５Ｆに示すように、幅方向における内側面に、前後方向に延在した一対の突条６５を有する。
【００６８】
一対の突条６５は、上下方向に離間し且つ互いに平行な状態で、前後方向に延在している。第二要素６２は、一対の突条６５同士の上下方向における間に、第二溝部６６を有する。
【００６９】
第二要素６２は、図５Ｅ及び図５Ｆに示すように、後端部に、第一ヒンジ部６４を有する。第一ヒンジ部６４は、一対のピン支持孔６４ａ、６４ｂを有する。一対のピン支持孔６４ａ、６４ｂはそれぞれ、上下方向に開口している。なお、図５Ｅに示された破線は、ヒンジ部材８の一部を示す。
【００７０】
ピン支持孔６４ａの中心軸と、ピン支持孔６４ｂの中心軸は、同軸である。一対のピン支持孔６４ａ、６４ｂにはそれぞれ、ヨロイ部６と右側用のテンプル１４０とを連結するための連結ピン９Ａ、９Ｂ（図５Ｄ及び図５Ｃ参照）が挿入されている。連結ピン９Ａ、９Ｂは別体でもよいが、一体に連結したピンとして構成されてもよい。
【００７１】
＜ヒンジ部材＞
以下、図７Ａ〜図７Ｄを参照して、ヒンジ部材８について説明する。ヒンジ部材８は、第一ヒンジ部６４とともに、ヒンジ部８４（図５Ｃ参照）を構成している。
【００７２】
ヒンジ部８４は、フロント１３０に対して、一対のテンプル１４０を連結するためのものである。
【００７３】
ヒンジ部材８は、略Ｌ字状である。また、ヒンジ部材８は、合成樹脂などの非金属製である。このようなヒンジ部材８は、第一要素８１及び第二要素８２を有する。第一要素８１は、ヒンジ側第一要素の一例に該当する。また、第二要素８２は、ヒンジ側第二要素の一例に該当する。
【００７４】
第一要素８１は、幅方向に延在している。第一要素８１は、第一カバー板部８１ａ及び係止部８１ｂを有する。
【００７５】
第一カバー板部８１ａは、一対の主面が前後方向を向き、幅方向に延在する板状である。第一カバー板部８１ａの第一端部は、第二要素８２（具体的には、第二要素８２の第二カバー板部８２ａ）に接続されている。第一カバー板部８１ａにおける第一端部は、リム１３１Ａから遠い側の端部に該当する。
【００７６】
第一カバー板部８１ａの第二端部は、幅方向において、係止部８１ｂの第二端部よりもリム１３１Ａに近い位置に配置されている。第一カバー板部８１ａの第二端縁は、リム１３１Ａの内周面に沿う形状を有する。
【００７７】
換言すれば、第一カバー板部８１ａの第二端縁の形状は、ヒンジ部材８がフロント１３０に組み付けられ、かつ、一対のリム１３１Ａ、１３１Ｂのそれぞれにレンズ１１０が組み込まれた状態において、第一カバー板部８１ａの第二端縁が対向するレンズ１１０の外周面に沿うような形状である。
【００７８】
なお、第一カバー板部８１ａの第二端縁により、第一カバー板部８１ａの第二端縁が当接するレンズ１１０を固定してもよい。さらに、第一カバー板部８１ａの剛性、形状（大きさ）を適宜決定することで、第一カバー板部８１ａによってレンズ１１０を固定する強さや電極との接続性を調整することができる。このような第一カバー板部８１ａは、第一溝部６３を後方から覆っている。
【００７９】
係止部８１ｂは、第一板部８１ｃ及び第二板部８１ｄを有する。
【００８０】
第一板部８１ｃは、一対の主面が上下方向を向き、幅方向に延在する板状である。第一板部８１ｃは、第一カバー板部８１ａの前側面の上端部に接続されている。第一板部８１ｃの第一端部は、第二要素８２における第一板部８２ｂの前端部に接続されている。
【００８１】
第二板部８１ｄは、一対の主面が上下方向を向き、幅方向に延在する板状である。第二板部８１ｄは、第一カバー板部８１ａの前側面の下端部に接続されている。第二板部８１ｄの第一端部は、第二要素８２における第二板部８２ｃの前端部に接続されている。
【００８２】
第一板部８１ｃと第二板部８１ｄとの上下方向における間には、幅方向に延在する隙間８１ｇが設けられている。隙間８１ｇは、組付状態において、リム１３１Ａにおける溝部１３１ｋの底面、及び、ヨロイ部６の第一溝部６３の底面と対向している。隙間８１ｇには、組付状態において、フレキシブル基板２００の一部が配置される。隙間８１ｇは、第一収容部の一例に該当する。
【００８３】
第一板部８１ｃの上側面には、爪部８１ｅが設けられている。また、第二板部８１ｄの下側面には、爪部８１ｆが設けられている。爪部８１ｅ及び爪部８１ｆが、リム１３１Ａにおける溝部１３１ｋの係止部１３１ｍと係合することにより、第一カバー板部８１ａは、前後方向において抜け止めされている。
【００８４】
第二要素８２は、略前後方向に延在している。換言すれば、第二要素８２は、ヨロイ部６の第二要素６２の幅方向における内側面に沿うように延在している。なお、ヨロイ部６において、幅方向における内側面は、ヨロイ部６の幅方向における両側面のうち、ブリッジ１３２に近い側の側面に該当する。
【００８５】
第二要素８２は、第二カバー板部８２ａ、第一板部８２ｂ、第二板部８２ｃ、及び、第二ヒンジ部８２ｄを有する。
【００８６】
第二カバー板部８２ａは、一対の主面が幅方向を向き、略前後方向に延在する板状である。第二カバー板部８２ａの第一端部（後端部）は、第二ヒンジ部８２ｄに接続されている。
【００８７】
第二カバー板部８２ａの第二端部（前端部）は、第一要素８１（具体的には、第一要素８１の第一カバー板部８１ａ）の第一端部に接続されている。
【００８８】
第一板部８２ｂは、一対の主面が上下方向を向き、略前後方向に延在する板状である。このような第一板部８２ｂは、第二カバー板部８２ａの幅方向における外側面の上端部に接続されている。
【００８９】
第二板部８２ｃは、一対の主面が上下方向を向き、幅方向に延在する板状である。このような第二板部８２ｃは、第二カバー板部８２ａの幅方向における外側面の下端部に接続されている。
【００９０】
第一板部８２ｂと第二板部８２ｃとの上下方向における間には、略前後方向に延在する隙間８２ｅが設けられている。隙間８２ｅの前端は、第一要素８１の隙間８１ｇに接続されている。隙間８２ｅは、組付状態において、ヨロイ部６における第二要素６２の第二溝部６６の底面と対向している。このような組付状態において、隙間８２ｅには、フレキシブル基板２００の一部が配置されている。隙間８２ｅは、第二収容部の一例に該当する。
【００９１】
第一板部８１ｃは、幅方向における外端縁に、爪部８２ｆを有する。また、第二板部８２ｃは、幅方向における外端縁に、爪部８２ｇを有する。爪部８２ｆ及び爪部８２ｇは、ヨロイ部６の一対の突条６５の前端縁と、前後方向において対向している。
【００９２】
上述の第一要素８１の第二端部と、第二要素８２の第二端部（前端部）とは、第一要素８１と第二要素８２との接続部８３を構成している。接続部８３は、僅かに弾性変形可能である。接続部８３が弾性変形すると、第一要素８１と第二要素８２とのなす角θ（図７Ｄ参照）が僅かに変化する。
【００９３】
ヒンジ部材８は、第一板部８１ｃと第一板部８２ｂとの接続部の先端縁に、凹部８３ａを有する。ヒンジ部材８は、第二板部８１ｄと第二板部８２ｃとの接続部の先端縁に、凹部８３ｂを有する。このような凹部８３ａ、８３ｂの形状は、接続部８３の剛性に応じて適宜決定されてよい。
【００９４】
第二ヒンジ部８２ｄは、第二カバー板部８２ａの第一端部（後端部）に、一体に設けられている。
【００９５】
第二ヒンジ部８２ｄは、上下方向に離間した一対の板部８２ｈ、８２ｉを有する。板部８２ｈ、８２ｉはそれぞれ、板部８２ｈ、８２ｉを上下方向に貫通するピン支持孔８２ｊ、８２ｋを有する。
【００９６】
第二ヒンジ部８２ｄは、一対の板部８２ｈ、８２ｉ同士の間に、ヨロイ部６における第一ヒンジ部６４の一部を覆うカバー部８２ｍを有する。
【００９７】
第二ヒンジ部８２ｄは、フレキシブル基板２００の一部が挿通される切欠８２ｎを有する。本実施形態の場合、切欠８２ｎは、カバー部８２ｍに設けられている。
【００９８】
以上のようなヒンジ部材８は、ヨロイ部６に組み付けられている。具体的には、ヒンジ部材８における第一要素８１の係止部８１ｂは、ヨロイ部６における第一要素６１の第一溝部６３に挿入されている。
【００９９】
係止部８１ｂの爪部８１ｅ、８１ｆは、リム１３１Ａにおける溝部１３１ｋの係止部１３１ｍと係合している。この状態で、ヒンジ部材８の第一カバー板部８１ａは、第一溝部６３を後方から覆っている。
【０１００】
ヒンジ部材８の第二要素８２は、ヨロイ部６における第二溝部６６を、幅方向における内側から覆っている。この状態で、第二要素８２の爪部８２ｆ、８２ｇは、ヨロイ部６の一対の突条６５の前端縁と、前後方向において対向している。このような構成は、ヒンジ部材８の後方への移動を規制している。
【０１０１】
また、第二ヒンジ部８２ｄの一対の板部８２ｈ、８２ｉは、ヨロイ部６Ａの第一ヒンジ部６４を、上下方向から挟むように配置されている。また、第二ヒンジ部８２ｄのカバー部８２ｍは、ヨロイ部６における第一ヒンジ部６４の一部を、幅方向における内側から覆っている。第二ヒンジ部８２ｄのピン支持孔８２ｊ、８２ｋの中心軸と、ヨロイ部６における第一ヒンジ部６４のピン支持孔６４ａ、６４ｂの中心軸とは、同軸である。
【０１０２】
＜テンプル＞
一対のテンプル１４０は、互いにほぼ左右対称な外形を有する。そこで、以下、右側用のテンプル１４０について説明し、左側用のテンプル１４０についての説明は省略する。
【０１０３】
このようなテンプル１４０は、その一端部（前端部）にテンプル側ヒンジ部１４０ａを有する。テンプル側ヒンジ部１４０ａは、上下方向に対向する一対の板部１４０ｂ、１４０ｃ（図５Ｃ及び図５Ｄ参照）を有する。一対の板部１４０ｂ、１４０ｃはそれぞれ、一対の板部１４０ｂ、１４０ｃを上下方向に貫通したピン支持孔１４０ｄ、１４０ｅ（図５Ｄ及び図５Ｃ参照）を有する。
【０１０４】
テンプル１４０は、テンプル側ヒンジ部１４０ａを介して、フロント１３０に組み付けられている。組付状態において、テンプル側ヒンジ部１４０ａの一対の板部１４０ｂ、１４０ｃは、第二ヒンジ部８２ｄの一対の板部８２ｈ、８２ｉを上下方向から挟むように配置されている。
【０１０５】
組付状態において、ピン支持孔１４０ｄ、１４０ｅの中心軸は、第二ヒンジ部８２ｄのピン支持孔８２ｊ、８２ｋの中心軸、及び、ヨロイ部６における第一ヒンジ部６４のピン支持孔６４ａ、６４ｂの中心軸と、同軸である。
【０１０６】
テンプル１４０のピン支持孔１４０ｄ、第二ヒンジ部８２ｄのピン支持孔８２ｊ、及び、第一ヒンジ部６４のピン支持孔６４ａには、連結ピン９Ａが挿通されている。また、テンプル１４０のピン支持孔１４０ｅ、第二ヒンジ部８２ｄのピン支持孔８２ｋ、及び、第一ヒンジ部６４のピン支持孔６４ｂには、連結ピン９Ｂが挿通されている。
【０１０７】
連結ピン９Ａの中心軸と、連結ピン９Ｂの中心軸とは、同軸である。以下、連結ピン９Ａ及び連結ピン９Ｂを、連結ピン９と称することもある。テンプル１４０は、連結ピン９を中心に、回動可能である。
【０１０８】
また、一対のテンプル１４０は、筐体１４１を有する。筐体１４１は、検出部１４２、制御部１５０、電源１６０、及びフレキシブル基板２００（フレキシブルプリント配線板あるいはＦＰＣともいう）の一部を内部に収容している。本実施形態の場合、制御部１５０及び電源１６０は、右側用のテンプル１４０の筐体１４１に内蔵されている。
【０１０９】
ただし、制御部１５０及び電源１６０は、左側用のテンプル１４０の筐体１４１に内蔵されてもよい。あるいは、制御部１５０及び電源１６０は、一対のテンプル１４０の筐体１４１にそれぞれ内蔵されてもよい。
【０１１０】
筐体１４１は、一方向に沿って延在し、テンプル１４０の外形を構成している。筐体１４１の形状は、特に限定されない。使用者が、検出部１４２の位置を手で触れるだけで認識し易くするために、筐体１４１の一部の形状と、筐体１４１の他の部分の形状とを、互いに異なるものとしてもよい。
【０１１１】
本実施形態では、筐体１４１の一部の形状と、筐体１４１の他の部分の形状とは、互いに異なる。筐体１４１は、右側面（電子メガネ１００の外側面）に、凸条を有する。筐体１４１の右側面における、検出部１４２に対応する位置は、平面形状である。これにより、使用者は、検出部１４２が配置されている位置を容易に認識できる。
【０１１２】
以上のようなテンプル１４０は、非金属製である。テンプル１４０を構成する非金属材料として、ポリアミド、アセテート、セルロイド、ポリエーテルイミド及びポリウレタンなどの樹脂、ならびにカーボンなどが挙げられる。
【０１１３】
なお、テンプル１４０は、金属製でもよい。テンプル１４０を構成する金属材料として、チタン、アルミ、ステンレス、及び、金、若しくは、それらの合金などが挙げられる。テンプル１４０が金属製の場合、テンプル１４０（具体的には、筐体１４１）と検出部１４２とは絶縁される。
【０１１４】
テンプル１４０の材料は、一対のリム１３１Ａ、１３１Ｂの材料と同じであってもよいし、異なってもよい。また、使用者が、検出部１４２の位置を認識し易くする観点から、筐体１４１の一部の材質と、筐体１４１の他の部分の材質とは、互いに異なってもよい。
【０１１５】
＜検出部＞
検出部１４２は、タッチセンサであって、例えば、筐体１４１に保持された被接触部と、筐体１４１の内部に保持された静電容量方式の検出パッドとを有する。検出パッドとしては、タッチセンサとして使用されうる公知の検出パッドが使用されうる。検出部１４２は、被検出部に対象物（使用者の指など）が接触したときに、当該接触によって生じる静電容量の変化を検出パッドで検出する。なお、被検出部と検出パッドとは、物理的に接続していてもよいし、接続していなくてもよい。また、検出部１４２の構成は、タッチセンサに限定されない。例えば、検出部１４２は、押しボタン式などで物理的なクリック感を得られる機械的なスイッチであってもよい。
【０１１６】
＜制御部＞
制御部１５０は、検出部１４２の検出パッド及び液晶レンズ１１１に電気的に接続される。制御部１５０は、後に説明する液晶レンズ１１１に印加する電圧を制御して、液晶レンズ１１１の光学特性を制御する。
【０１１７】
例えば、制御部１５０は、検出部１４２が対象物の接触を検出したときに、一対の液晶レンズ１１１に電圧を印加するか、又はその電圧の印加を停止して、液晶レンズ１１１の屈折率を切替える。
【０１１８】
制御部１５０は、制御回路を有する。制御回路は、例えば、検出パッドの駆動と、検出パッドにおける静電容量の変化の検出と、液晶レンズ１１１への電圧の印加とを制御する。
【０１１９】
制御部１５０は、例えば、検出パッドにおける静電容量の変化についての検出結果を受信しうるように、検出パッドに接続された状態で、検出部１４２に実装される。
【０１２０】
＜電源＞
電源１６０は、検出部１４２、制御部１５０、及び液晶レンズ１１１に電力を供給する。電源１６０は、テンプル１４０の他端部（後端部）に着脱可能に保持される充電式のバッテリーパックであってもよい。電源１６０の例には、ニッケル水素充電池が含まれる。
【０１２１】
＜絶縁部材＞
図３は、絶縁部材４００Ａ、フレキシブル基板２００、及び導電片３００の分解斜視図である。以下、図３及び図４Ｂを参照して、絶縁部材４００Ａについて説明する。
【０１２２】
絶縁部材４００Ａは、例えば、樹脂又はゴムのような絶縁性を有する素材で形成され、フレキシブル基板２００及び導電片３００を、フロント１３０から電気的に絶縁する。本実施形態の場合、絶縁部材４００Ａは、後述するフレキシブル基板２００の絶縁カバー２０２とは別体に形成される。
【０１２３】
具体的には、絶縁部材４００Ａは、底板部４０１（連続要素ともいう。）、第一側板部４０２（第一要素ともいう。）、及び、第二側板部４０３（第二要素ともいう。）を有する。
【０１２４】
底板部４０１は、レンズ１１０の縁部１１３に沿う方向に長い。また、底板部４０１の長さ寸法は、縁部１１３に沿った方向において、一対の電極１１２ａ、１１２ｂの間隔よりも大きい。このような底板部４０１は、係止溝１３１ｃの底面１３１ｄに沿うように配置されている。
【０１２５】
第一側板部４０２は、底板部４０１の前端部からレンズ１１０に向かって直角に折れ曲がっている。第一側板部４０２の長さ寸法は、縁部１１３に沿う方向において、底板部４０１の長さ寸法と等しい。このような第一側板部４０２は、係止溝１３１ｃの第一側面１３１ｅ（第一覆い部１３１ａの後側面）に沿って配置されている。この状態で、第一側板部４０２は、電極露出部１１３ａの前側面１１３ｃと係止溝１３１ｃの第一側面１３１ｅとの間に配置されている。
【０１２６】
第二側板部４０３は、底板部４０１の後端部からレンズ１１０に向かって直角に折れ曲がっている。縁部１１３に沿う方向において、第二側板部４０３の長さ寸法は、底板部４０１の長さ寸法と等しい。このような第二側板部４０３は、係止溝１３１ｃの第二側面１３１ｆ（第二覆い部１３１ｂの前側面）に沿うように配置されている。この状態で、第二側板部４０３は、電極露出部１１３ａの後側面１１３ｄと係止溝１３１ｃの第二側面１３１ｆとの間に配置されている。
【０１２７】
第一側板部４０２及び第二側板部４０３の高さ寸法Ｈ４００は、係止溝１３１ｃの深さ寸法Ｄ１３１よりも小さい。
【０１２８】
上述のように、絶縁部材４００Ａは、係止溝１３１ｃに配置されている。具体的には、絶縁部材４００Ａは、係止溝１３１ｃにおいて後述する導電片３００が配置された部分に配置されている。
【０１２９】
＜フレキシブル基板＞
次に、図３及び図４Ｂを参照して、フレキシブル基板２００について説明する。フレキシブル基板２００は、後述する導電片３００とともに、一対の電極１１２ａ、１１２ｂと制御部１５０とを電気的に接続する導電路を構成する。フレキシブル基板２００は、導線の一例に該当する。
【０１３０】
具体的には、フレキシブル基板２００は、導電層２０１及び絶縁カバー２０２を有する。
【０１３１】
導電層２０１は、それぞれ銅などの導体で形成され、互いに略平行に延在する第一導線２０１１及び第二導線２０１２を有する。第一導線２０１１と第二導線２０１２とは、絶縁カバー２０２の一部により絶縁されている。導電層２０１を構成する導線の数は、レンズ１１０の縁部１１３に配置される電極１１２ａ、１１２ｂの数に応じた数である。
【０１３２】
なお、図４Ｂの括弧内の符号は、図１のＤ−Ｄ線断面に対応する符号である。すなわち、組立状態における電子メガネ１００は、図１のＤ−Ｄ線断面において、図４Ｂに示される第一導線２０１１と第二導線２０１２との配置が入れ替わる。
【０１３３】
第一導線２０１１は、液晶レンズ１１１を構成する一対の導電層のうち、後側（ユーザ側）に配置された導電層と制御部１５０との間の導電路を構成する。また、第一導線２０１１は、その一部に、絶縁カバー２０２に覆われず外部に露出する第一接点部２０１３（導体面ともいう。）を有する。
【０１３４】
第一接点部２０１３は、一対の電極１１２ａ、１１２ｂのうち、一方の電極１１２ａに導電片３００を介して接続される。本実施形態の場合、第一接点部２０１３は、一対のレンズ１１０ごとに設けられる。
【０１３５】
第二導線２０１２は、液晶レンズ１１１を構成する一対の導電層のうち、前側に配置された導電層（すなわち液晶レンズ１１１）と制御部１５０との間の導電路を構成する。また、第二導線２０１２は、その一部に、絶縁カバー２０２に覆われず外部に露出する第二接点部２０１４（導体面ともいう。）を有する。
【０１３６】
第二導線２０１２は、一対の電極１１２ａ、１１２ｂのうち、他方の電極１１２ｂに導電片３００を介して接続されている。本実施形態の場合、第二接点部２０１４は、一対のレンズ１１０ごとに設けられている。
【０１３７】
以上のようなフレキシブル基板２００は、その一端に設けられた接続部２１０を介して、制御部１５０に接続されている。
【０１３８】
フレキシブル基板２００の全長は、フロント１３０の左右両端間の距離とフロント１３０と制御部１５０の間の距離との和に略相当する。すなわち、フレキシブル基板２００は、全体的に細長い形状を有する。
【０１３９】
フレキシブル基板２００の幅寸法はその全域において、フロント１３０の幅寸法（前後方向の厚さ寸法）よりも小さい。また、フレキシブル基板２００の幅寸法は、少なくとも絶縁部材４００Ａと重なる部分において、第一側板部４０２と第二側板部４０３との隔間よりも小さい。フレキシブル基板２００の幅は、その全域において、同じ幅であってもよい。フレキシブル基板２００の幅は、例えば、１ｍｍ以上５ｍｍ以下である。
【０１４０】
フレキシブル基板２００は、テンプル１４０及びフロント１３０に沿って延在するように、テンプル１４０の内部、フロント１３０とレンズ１１０との間、及びブリッジ１３２の内部、下部又は後方に配置されている。
【０１４１】
フレキシブル基板２００は、フロント１３０とレンズ１１０との間において、一対のリム１３１Ａ、１３１Ｂの係止溝１３１ｃに配置されている。この状態で、フレキシブル基板２００の第一接点部２０１３は、縁部１１３から露出した一方の電極１１２ａの端部と対向している。フレキシブル基板２００の第二接点部２０１４は、縁部１１３から露出した他方の電極１１２ｂの端部と対向している。
【０１４２】
＜導電片＞
導電片３００は、例えば導電ゴムのような、柔軟性と導電性を有する素材で形成される。本明細書において、柔軟性を有するとは、レンズ１１０及びフロント１３０よりもヤング率が小さいことを意味する。
【０１４３】
導電片３００は、第一接続面３０１、及び第一接続面３０１に対向する第二接続面３０２を有する。また、導電片３００は、絶縁部材４００Ａの第一側板部４０２と第二側板部４０３との間に存在する空間に配置可能な幅寸法を有する。
【０１４４】
このような導電片３００は、第一接点部２０１３と、縁部１１３から露出する一方の電極１１２ａの端部との間に配置されている。このように配置された状態で、第一接続面３０１は第一接点部２０１３に、第二接続面３０２は一方の電極１１２ａの端部に、それぞれ当接している。この状態で、導電片３００は、第一接点部２０１３と、電極露出部１１３ａの先端面１１３ｂとにより押圧されている。
【０１４５】
導電片３００は、第二接点部２０１４と、縁部１１３から露出する他方の電極１１２ｂの端部との間にも、配置されている。このように配置された状態で、第一接続面３０１は、第一接点部２０１３に、第二接続面３０２は他方の電極１１２ｂの端部に、それぞれ当接している。この状態で、導電片３００は、第二接点部２０１４と、電極露出部１１３ａの先端面１１３ｂとにより押圧されている。
【０１４６】
このようにして、導電片３００は、第一導線２０１１及び第二導線２０１２と、電極１１２ａ及び電極１１２ｂとを導通している。
【０１４７】
導電片３００は、例えば、両面テープで第一接点部２０１３及び第二接点部２０１４へ取り付けられている。この際、両面テープは、当然、導電片３００と第一接点部２０１３及び第二接点部２０１４との間の導通を妨げない寸法を有する。
【０１４８】
＜本実施形態の作用・効果＞
以上のような構成を有する本実施形態によれば、掛け心地が良い金属製のフロントを有するアイウェアを提供できる。すなわち、本実施形態の場合、フロント１３０とテンプル１４０とを連結するフロント１３０のヒンジ部８４は、金属製のヨロイ部６と、合成樹脂製のヒンジ部材８とにより構成されている。このようなヒンジ部材８は弾性を有しているため、電子メガネ１００の装着状態において、テンプル１４０によりユーザの頭を挟む力を適度に調整できる。このため、電子メガネ１００の装着状態における掛け心地が柔らかくなる。
【０１４９】
また、金属製のヒンジ部材８及びカバー部材７の場合、加工が難しく製造コストが嵩んでしまう可能性がある。一方、本実施形態によれば、ヒンジ部材８及びカバー部材７が合成樹脂製であるため、金属製のヒンジ部材８及びカバー部材７と比べて、加工が容易で製造コストを低減できる。
【０１５０】
また、合成樹脂製のヒンジ部材８及びカバー部材７は、金属製のヒンジ部材８及びカバー部材７と比べて軽量であるため、電子メガネ１００全体の軽量化に寄与する。
【０１５１】
また、合成樹脂製のヒンジ部材８の第一要素８１と第二要素８２との接続部８３は、第一要素８１と第二要素８２とのなす角θ（図７Ｄ参照）が僅かに変化するように、弾性変形可能である。このような接続部８３は、テンプル１４０からフロント１３０に伝わる力を吸収して、フロント１３０に加わる衝撃を低減できる。このような作用は、フロント１３０の耐久性の向上に寄与し、電子メガネ１００の製品寿命を延ばすことができる。
【０１５２】
また、合成樹脂製のヒンジ部材８及びカバー部材７は、パーツ交換が容易であるため、電子メガネ１００の維持コストの低減に寄与する。
【０１５３】
［実施形態２］
図８を参照して、本発明に係る実施形態２について説明する。図８は、前述した実施形態１の説明で参照した図４Ｂに対応する図である。本実施形態に係る電子メガネは、絶縁部材４００Ｂの構造が、実施形態１の絶縁部材４００Ａと異なる。以下、本実施形態の電子メガネについて、実施形態１と異なる部分の構造を中心に説明する。
【０１５４】
絶縁部材４００Ｂは、第一絶縁膜４０４及び第二絶縁膜４０５を有する。
【０１５５】
第一絶縁膜４０４は、一対のリム１３１Ａ、１３１Ｂの係止溝１３１ｃにおける第一側面１３１ｅ（第一覆い部１３１ａの後側面でもある。）に形成された塗膜である。
【０１５６】
第二絶縁膜４０５は、一対のリム１３１Ａ、１３１Ｂの係止溝１３１ｃにおける第二側面１３１ｆ（第二覆い部１３１ｂの前側面でもある。）に形成された塗膜である。第一絶縁膜４０４及び第二絶縁膜４０５は、絶縁性を有するペースト状の材料を塗布して硬化することにより形成される。第一絶縁膜４０４及び第二絶縁膜４０５の形成方法は、公知の塗膜形成方法を採用できる。
【０１５７】
なお、第一絶縁膜４０４及び第二絶縁膜４０５は、シート状の絶縁部材を第一側面１３１ｅ及び第二側面１３１ｆに貼り付けることにより形成されてもよい。
【０１５８】
本実施形態の場合、フレキシブル基板２００と底面１３１ｄとの間には、絶縁部材４００Ｂは配置されない。ただし、フレキシブル基板２００の絶縁カバー２０２は、絶縁性を有しているため、フレキシブル基板２００の導電層２０１は、一対のリム１３１Ａ、１３１Ｂから絶縁される。その他の構造及び作用・効果は、前述した実施形態１と同様である。
【０１５９】
［実施形態３］
図９を参照して、本発明に係る実施形態３について説明する。図９は、前述した実施形態１の説明で参照した図４Ｂに対応する図である。本実施形態に係る電子メガネは、絶縁部材４００Ｃの構造が、実施形態１の絶縁部材４００Ａと異なる。以下、本実施形態の電子メガネについて、実施形態１と異なる部分の構造を中心に説明する。
【０１６０】
本実施形態の場合、絶縁部材４００Ｃは、第一側板部４０２Ｃ及び第二側板部４０３Ｃを有する。第一側板部４０２Ｃ及び第二側板部４０３Ｃは、前述した実施形態１とほぼ同様の構成を有しており、それぞれ、一端部（レンズ１１０から遠い側の端部）が、フレキシブル基板２００の絶縁カバー２０２と一体に形成されている。
【０１６１】
換言すれば、絶縁カバー２０２は、少なくとも導電片３００と重なる部分の前端部及び後端部に、第一側板部４０２Ｃ及び第二側板部４０３Ｃを有する。第一側板部４０２Ｃ及び第二側板部４０３Ｃは、絶縁カバー２０２の前端部及び後端部からレンズ１１０に向かって直角に折れ曲がって形成される。その他の構造及び作用・効果は前述した実施形態１と同様である。
【０１６２】
［実施形態４］
図１０を参照して、本発明に係る実施形態４について説明する。図１０は、前述した実施形態１の説明で参照した図４Ｂに対応する図である。本実施形態に係る電子メガネは、リム１３１Ｄ及び絶縁部材４００Ｄの構造が、実施形態１のリム１３１Ａ及び絶縁部材４００Ａと異なる。以下、本実施形態の電子メガネについて、実施形態１と異なる部分の構造を中心に説明する。なお、リム１３１Ｄは、右側用のリムである。左側用のリムは、右側用のリム１３１Ｄと左右対称の構造を有するため、左側用のリムについては、説明を省略する。
【０１６３】
リム１３１Ｄは、金属製であって、レンズ１１０の外形に沿うような環状である。本実施形態の場合、リム１３１Ｄの内周面は、レンズ１１０の外形に沿うような曲面である。このようなリム１３１Ｄの内周面は、前述した実施形態１のリム１３１Ａが有する係止溝１３１ｃ（図４Ｂ参照）を有していない。
【０１６４】
絶縁部材４００Ｄは、底板部４０１Ｄ、第一側板部４０２Ｄ、及び第二側板部４０３Ｄを有する。絶縁部材４００Ｄは、絶縁性を有する部材からなる。絶縁部材４００の材料としては、ポリアミド、アセテート、セルロイド、ポリエーテルイミド及びポリウレタンなどの樹脂などが挙げられる。
【０１６５】
底板部４０１Ｄは、リム１３１Ｄの内周面に沿うような環状である。底板部４０１Ｄの前後方向における厚さ寸法Ｗ４０１は、リム１３１Ｄの内周面の前後方向における厚さ寸法Ｗ１３１ａと等しい。
【０１６６】
第一側板部４０２Ｄは、底板部４０１Ｄの前端部からレンズ１１０に向かって直角に延在する。第一側板部４０２Ｄは、底板部４０１Ｄの全長にわたり設けられる。
【０１６７】
第二側板部４０３Ｄは、底板部４０１Ｄの後端部からレンズ１１０に向かって直角に延在する。第二側板部４０３Ｄは、底板部４０１Ｄの全長にわたり設けられる。なお、第一側板部４０２Ｄ及び第二側板部４０３Ｄは、前述した実施形態１における第一覆い部１３１ａ及び第二覆い部１３１ｂに相当する。
【０１６８】
このような絶縁部材４００Ｄは、底板部４０１Ｄの外周面とリム１３１Ｄの内周面との間に塗布された接着剤（不図示）により、リム１３１Ｄに固定される。
【０１６９】
また、絶縁部材４００Ｄは、底板部４０１Ｄ、第一側板部４０２Ｄ、及び第二側板部４０３Ｄにより三方から囲まれる部分に、収容部４０６Ｄを有する。収容部４０６Ｄは、前述した実施形態１における係止溝１３１ｃに相当する。収容部４０６Ｄには、フレキシブル基板２００、導電片３００、及び縁部１１３（電極露出部１１３ａ）が、実施形態１の係止溝１３１ｃと同様に配置される。
【０１７０】
なお、第一側板部４０２Ｄの前側面（図１０中の右側面）に、金属調の塗膜あるいはシールなどの覆い部材５００を設けてもよい。覆い部材５００は、第一側板部４０２Ｄの後側面（図１０中の左側面）にも、設けられてよい。その他の構造及び作用・効果は、前述した実施形態１と同様である。
【０１７１】
［実施形態５］
図１１を参照して、本発明に係る実施形態５について説明する。図１１は、前述した実施形態１の説明で参照した図５に対応する図である。本実施形態に係る電子メガネの場合、絶縁部材は、実施形態１の絶縁部材４００Ａと、実施形態２の絶縁部材４００Ｂ（第二絶縁体ともいう。）とにより構成される。その他の構造及び作用・効果は実施形態１及び実施形態２と同様である。
【０１７２】
［実施形態６］
図１２及び図１３を参照して、本発明に係る実施形態６について説明する。
【０１７３】
本実施形態に係る電子メガネは、リム１３１Ｅの構造が、実施形態１のリム１３１Ａと異なる。以下、本実施形態の電子メガネについて、実施形態１と異なる部分の構造を中心に説明する。なお、リム１３１Ｅは、電子メガネの右側用のリムである。左側用のリムは、リム１３１Ｅと左右対称な形状を有するため、左側用のリムについては、説明を省略する。
【０１７４】
図１２は、前述した実施形態１の説明で参照した図４Ｂに対応する図である。また、図１３は、図１２とは異なる位置におけるリム１３１Ｅの断面図である。リム１３１Ｅは、レンズ１１０（図１参照）の外形に沿うような環状である。このようなリム１３１Ｅは、第一リム要素１３１Ｅ１及び第二リム要素１３１Ｅ２を有する。なお、第一リム要素１３１Ｅ１は、第一フロント要素である。第二リム要素１３１Ｅ２は、第二フロント要素である。
【０１７５】
第一リム要素１３１Ｅ１は、非金属製である。第一リム要素１３１Ｅ１を構成する非金属材料として、ポリアミド、アセテート、セルロイド、ポリエーテルイミド、及びポリウレタンなどの樹脂が挙げられる。本実施形態の場合、第一リム要素１３１Ｅ１が、第一絶縁体である。換言すれば、本実施形態の場合、第一絶縁体は、リム１３１Ｅの一部を構成する。
【０１７６】
第一リム要素１３１Ｅ１は、レンズ１１０の外形に沿うような中空の環状部材である。第一リム要素１３１Ｅ１は、第一覆い部１３１ａ６、第二覆い部１３１ｂ６、第一接続部１３１ｇ６、及び第二接続部１３１ｈ６を有する。
【０１７７】
第一覆い部１３１ａ６、第二覆い部１３１ｂ６、第一接続部１３１ｇ６、及び第二接続部１３１ｈ６は、図１３に示すように断面略矩形状に接続されることにより、中空かつ環状の第一リム要素１３１Ｅ１を構成する。
【０１７８】
第一リム要素１３１Ｅ１は、第一覆い部１３１ａ６、第二覆い部１３１ｂ６、第一接続部１３１ｇ６、及び第二接続部１３１ｈ６に囲まれる部分に、収容部１３１ｉ６を有する。収容部１３１ｉ６は、組立状態において、フレキシブル基板２００及び導電片３００を収容する。
【０１７９】
つまり、組立状態において、第一覆い部１３１ａ６は、フレキシブル基板２００及び導電片３００を前方から覆う。第一覆い部１３１ａ６は、第一絶縁体の第一要素でもある。また、組立状態において、第二覆い部１３１ｂ６は、フレキシブル基板２００及び導電片３００を後方から覆う。第二覆い部１３１ｂ６は、第一絶縁体の第二要素でもある。
【０１８０】
第一接続部１３１ｇ６は、第一覆い部１３１ａ６の一端（図１３中の上端）と、第二覆い部１３１ｂ６の一端とを接続する。
【０１８１】
第二接続部１３１ｈ６は、第一覆い部１３１ａ６の他端（図１３中の下端）寄り部分と、第二覆い部１３１ｂ６の他端寄り部分とを接続する。第二接続部１３１ｈ６は、組立状態において、電極露出部１１３ａに対応する部分に、貫通孔１３１ｊ６を有する。貫通孔１３１ｊ６には、電極露出部１１３ａが挿入される。
【０１８２】
第一リム要素１３１Ｅ１は、内周面における第一覆い部１３１ａ６、第二覆い部１３１ｂ６、及び第二接続部１３１ｈ６により三方から囲まれる部分に、全周にわたり連続した係止溝１３１ｃ６を有する。係止溝１３１ｃ６には、レンズ１１０の縁部１１３が配置される。
【０１８３】
本実施形態の場合も、フレキシブル基板２００と電極露出部１１３ａの先端面１１３ｂとの間に、導電片３００が配置される。具体的には、導電片３００は、フレキシブル基板２００の第一接点部２０１３と、縁部１１３から露出する一方の電極１１２ａの端部との間に配置される。導電片３００は、前述した実施形態１と同様である。
【０１８４】
このように配置された状態で、導電片３００の第一接続面３０１は第一接点部２０１３に、第二接続面３０２は一方の電極１１２ａの端部に、それぞれ当接する。この状態で、導電片３００は、第一接点部２０１３と、電極露出部１１３ａの先端面１１３ｂとにより押圧される。
【０１８５】
第二リム要素１３１Ｅ２は、金属製である。第一リム要素１３１Ｅ１を構成する金属材料として、チタン、アルミ、ステンレス、及び金、若しくは、それらの合金などが挙げられる。
【０１８６】
第二リム要素１３１Ｅ２は、第一覆い部１３１ａ６の前側面に沿う円輪状部材である。このような第二リム要素１３１Ｅ２は、第一覆い部１３１ａ６の前側面に接着固定される。なお、円輪状の第三リム要素（図示省略）が、第二覆い部１３１ｂ６の後側面に接着固定されてもよい。
【０１８７】
その他の構成及び作用・効果は、前述した実施形態４と同様である。なお、本実施形態の構成は、技術的に矛盾しない範囲で、前述した各実施形態と適宜組み合わせて実施されてもよい。
【０１８８】
＜付記＞
以上本発明の実施形態について説明したが、本発明は上記各実施形態に限定されるものではなく、本発明の趣旨を逸脱しない範囲で種々の変更が可能である。例えば、本発明に係るアイウェアには、視力補正レンズのようにユーザの視力向上のための補助機構を有する眼鏡（電子メガネ及びサングラスを含む）及びゴーグルが含まれる。また、本発明に係るアイウェアには、ユーザの視界又は眼に対して情報提示を行う機構を有する種々のデバイス（例えば、眼鏡型ウェアラブル端末や、ヘッドマウントディスプレイなど）が含まれる。
【０１８９】
また、本発明に係るアイウェアは、視力又は視界向上のための補助機構や情報提示のための機構などを、使用者の目の前又は周囲に保持できる構成であればよい。本発明に係るアイウェアは、両耳に掛けられる眼鏡型に限られず、頭部や片耳などに装着される型でもよい。また、本発明に係るアイウェアは、両眼用のアイウェアに限られず、片眼用のアイウェアであってもよい。
【０１９０】
また、本発明に係るアイウェアにおいて、各レンズは、それぞれ複数の電気素子を有していてもよい。例えば、各レンズが、それぞれ、エレクロ（調光）用の液晶レンズと、老眼矯正用の液晶レンズを有していてもよい。また、各レンズが、多焦点に対応できるように複数の視力矯正用液晶レンズを有していてもよい。なお、これらの場合、各レンズの縁部には、４つ以上の電極が配置されることになる。
【０１９１】
なお、１つの電気素子が有する電極の数は２つに限られず、電気素子の種類によっては１つ又は３つ以上であってもよいことは勿論である。
【０１９２】
２０１８年２月７日出願の特願２０１８−０２０４３０の日本出願、及び、２０１８年９月２８日出願の特願２０１８−１８５３３０の日本出願に含まれる明細書、図面及び要約書の開示内容は、すべて本願に援用される。
【産業上の利用可能性】
【０１９３】
本発明は、電気素子を有するレンズを備えるアイウェアとして好適に利用される。
【符号の説明】
【０１９４】
１００  電子メガネ
１１０  レンズ
１１１  液晶レンズ
１１２ａ、１１２ｂ  電極
１１３  縁部
１１３ａ  電極露出部
１１３ｂ  先端面
１１３ｃ  前側面
１１３ｄ  後側面
１２０  フレーム
１３０  フロント
１３１Ａ、１３１Ｂ、１３１Ｄ、１３１Ｅ  リム
１３１Ｅ１  第一リム要素
１３１Ｅ２  第二リム要素
１３１ａ、１３１ａ６  第一覆い部
１３１ｂ、１３１ｂ６  第二覆い部
１３１ｃ、１３１ｃ６  係止溝
１３１ｄ  底面
１３１ｅ  第一側面
１３１ｆ  第二側面
１３１ｇ６  第一接続部
１３１ｈ６  第二接続部
１３１ｉ６  収容部
１３１ｊ６  貫通孔
１３１ｋ  溝部
１３１ｍ  係止部
１３１ｎ  リムロック
１３２  ブリッジ
１３２ａ  溝部
１３２ｂ  底面部
１３２ｃ  上面部
１３２ｄ  下面部
１３２ｅ  上側係止部
１３２ｆ  下側係止部
１３２ｇ  後側開口部
１３３  鼻パッド
１４０  テンプル
１４０ａ  テンプル側ヒンジ部
１４０ｂ  板部
１４０ｃ  板部
１４０ｄ  ピン支持孔
１４０ｅ  ピン支持孔
１４１  筐体
１４２  検出部
１５０  制御部
１６０  電源
２００  フレキシブル基板
２０１  導電層
２０１１  第一導線
２０１２  第二導線
２０１３  第一接点部
２０１４  第二接点部
２０２  絶縁カバー
２１０  接続部
３００  導電片
３０１  第一接続面
３０２  第二接続面
４００Ａ、４００Ｂ、４００Ｃ、４００Ｄ  絶縁部材
４０１、４０１Ｄ  底板部
４０２、４０２Ｃ、４０２Ｄ  第一側板部
４０３、４０３Ｃ、４０３Ｄ  第二側板部
４０４  第一絶縁膜
４０５  第二絶縁膜
４０６Ｄ  収容部
５００  覆い部材
６  ヨロイ部
６１  第一要素
６２  第二要素
６３  第一溝部
６４  第一ヒンジ部
６４ａ、６４ｂ  ピン支持孔
６５  突条
６６  第二溝部
７  カバー部材
７ａ  カバー要素
７ｂ  係止部
７ｃ  第一板部
７ｄ  第二板部
７ｅ  隙間
８  ヒンジ部材
８１  第一要素
８１ａ  第一カバー板部
８１ｂ  係止部
８１ｃ  第一板部
８１ｄ  第二板部
８１ｅ  爪部
８１ｆ  爪部
８１ｇ  隙間
８２  第二要素
８２ａ  第二カバー板部
８２ｂ  第一板部
８２ｃ  第二板部
８２ｄ  第二ヒンジ部
８２ｅ  隙間
８２ｆ  爪部
８２ｇ  爪部
８２ｈ  板部
８２ｉ  板部
８２ｊ  ピン支持孔
８２ｋ  ピン支持孔
８２ｍ  カバー部
８２ｎ  切欠
８３  接続部
８３ａ、８３ｂ  凹部
８４  ヒンジ部
９、９Ａ、９Ｂ  連結ピン
【図１】
2019156129.tif 000003
【図２】
2019156129.tif 000004
【図３】
2019156129.tif 000005
【図４Ａ】
2019156129.tif 000006
【図４Ｂ】
2019156129.tif 000007
【図５Ａ】
2019156129.tif 000008
【図５Ｂ】
2019156129.tif 000009
【図５Ｃ】
2019156129.tif 000010
【図５Ｄ】
2019156129.tif 000011
【図５Ｅ】
2019156129.tif 000012
【図５Ｆ】
2019156129.tif 000013
【図５Ｇ】
2019156129.tif 000014
【図５Ｈ】
2019156129.tif 000015
【図５Ｉ】
2019156129.tif 000016
【図６Ａ】
2019156129.tif 000017
【図６Ｂ】
2019156129.tif 000018
【図６Ｃ】
2019156129.tif 000019
【図７Ａ】
2019156129.tif 000020
【図７Ｂ】
2019156129.tif 000021
【図７Ｃ】
2019156129.tif 000022
【図７Ｄ】
2019156129.tif 000023
【図８】
2019156129.tif 000024
【図９】
2019156129.tif 000025
【図１０】
2019156129.tif 000026
【図１１】
2019156129.tif 000027
【図１２】
2019156129.tif 000028
【図１３】
2019156129.tif 000029
【国際調査報告】
2019156129.tif 000030
2019156129.tif 000031
2019156129.tif 000032
2019156129.tif 000033